【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
電子デバイスによって補間係数セットを決定するための方法であって、
現在のフレームの特性および以前のフレームの特性に基づいて値を決定することと、
前記値が範囲の外側にあるかどうかを決定することと、
前記値が前記範囲の外側にあるという決定および予測モードインジケータに基づいて、補間係数セットを決定することと、
補間された線スペクトル周波数（ＬＳＦ）ベクトルを生成するために前記補間係数セットに基づいてサブフレームのＬＳＦベクトルを補間することと、
前記補間されたＬＳＦベクトルに基づいて音声信号を合成することと
を備える、方法。
【請求項２】
前記予測モードインジケータが３つ以上の予測モードの１つを示す、請求項１に記載の方法。
【請求項３】
前記値が、現在のフレームの合成フィルタインパルス応答エネルギーと以前のフレームの合成フィルタインパルス応答エネルギーに基づく、エネルギー比である、請求項１に記載の方法。
【請求項４】
前記値が前記範囲の外側にあるかどうかを決定することが、前記エネルギー比が閾値より小さいかどうかを決定することを備える、請求項３に記載の方法。
【請求項５】
前記補間係数セットが２つ以上の補間係数を含む、請求項１に記載の方法。
【請求項６】
前記補間されたＬＳＦベクトルを係数に変換することをさらに備える、請求項１に記載の方法。
【請求項７】
前記補間係数セットに基づいてサブフレームのＬＳＦベクトルを補間することが、現在のフレームの最終ＬＳＦベクトルを第１の補間係数と乗算することと、以前のフレームの最終ＬＳＦベクトルを第２の補間係数と乗算することと、現在のフレームの中間ＬＳＦベクトルを差分係数と乗算することとを備える、請求項１に記載の方法。
【請求項８】
前記値が前記範囲の外側にないという決定に応答して、デフォルトの補間係数セットを利用することをさらに備える、請求項１に記載の方法。
【請求項９】
前記予測モードインジケータが現在のフレームの予測モードを示す、請求項１に記載の方法。
【請求項１０】
補間係数セットを決定するための電子デバイスであって、
現在のフレームの特性および以前のフレームの特性に基づいて値を決定することと、
前記値が範囲の外側にあるかどうかを決定することと、
前記値が前記範囲の外側にあるという決定および予測モードインジケータに基づいて補間係数セットを決定することと、
補間された線スペクトル周波数（ＬＳＦ）ベクトルを生成するために前記補間係数セットに基づいてサブフレームのＬＳＦベクトルを補間することと、
前記補間されたＬＳＦベクトルに基づいて音声信号を合成する合成フィルタ回路と
を行うように構成されたプロセッサを備える、電子デバイス。
【請求項１１】
前記予測モードインジケータが３つ以上の予測モードの１つを示す、請求項１０に記載の電子デバイス。
【請求項１２】
前記値が、現在のフレームの合成フィルタインパルス応答エネルギーと以前のフレームの合成フィルタインパルス応答エネルギーに基づく、エネルギー比である、請求項１０に記載の電子デバイス。
【請求項１３】
前記プロセッサが、前記エネルギー比が閾値より小さいかどうかを決定するように構成される、請求項１２に記載の電子デバイス。
【請求項１４】
前記補間係数セットが２つ以上の補間係数を含む、請求項１０に記載の電子デバイス。
【請求項１５】
前記プロセッサが、前記補間されたＬＳＦベクトルを係数に変換するように構成される、請求項１０に記載の電子デバイス。
【請求項１６】
前記プロセッサが、現在のフレームの最終ＬＳＦベクトルを第１の補間係数と乗算することと、以前のフレームの最終ＬＳＦベクトルを第２の補間係数と乗算することと、現在のフレームの中間ＬＳＦベクトルを差分係数と乗算することとを行うように構成される、請求項１０に記載の電子デバイス。
【請求項１７】
前記プロセッサが、前記値が前記範囲の外側にないという決定に応答して、デフォルトの補間係数セットを利用するように構成される、請求項１０に記載の電子デバイス。
【請求項１８】
前記予測モードインジケータが現在のフレームの予測モードを示す、請求項１０に記載の電子デバイス。
【請求項１９】
命令を有する非一時的有形コンピュータ可読媒体を備える、補間係数セットを決定するためのコンピュータプログラム製品であって、前記命令が、
電子デバイスに、現在のフレームの特性および以前のフレームの特性に基づいて値を決定させるためのコードと、
前記電子デバイスに、前記値が範囲の外側にあるかどうかを決定させるためのコードと、
前記電子デバイスに、前記値が前記範囲の外側にあるという決定および予測モードインジケータに基づいて、補間係数セットを決定させるためのコードと、
前記電子デバイスに、保管された線スペクトル周波数（ＬＳＦ）ベクトルを生成するために前記補間係数セットに基づいてサブフレームのＬＳＦベクトルを補間させるためのコードと、
前記電子デバイスに、前記補間されたＬＳＦベクトルに基づいて音声信号を合成させるためのコードと
を備える、コンピュータプログラム製品。
【請求項２０】
前記予測モードインジケータが３つ以上の予測モードの１つを示す、請求項１９に記載のコンピュータプログラム製品。
【請求項２１】
前記値が、現在のフレームの合成フィルタインパルス応答エネルギーと以前のフレームの合成フィルタインパルス応答エネルギーに基づく、エネルギー比である、請求項１９に記載のコンピュータプログラム製品。
【請求項２２】
前記補間係数セットが２つ以上の補間係数を含む、請求項１９に記載のコンピュータプログラム製品。
【請求項２３】
前記電子デバイスに、前記補間されたＬＳＦベクトルを係数に変換させるためのコードをさらに備える、請求項１９に記載のコンピュータプログラム製品。
【請求項２４】
前記電子デバイスに、前記値が前記範囲の外側にないという決定に応答して、デフォルトの補間係数セットを利用させるためのコードをさらに備える、請求項１９に記載のコンピュータプログラム製品。
【請求項２５】
前記予測モードインジケータが現在のフレームの予測モードを示す、請求項１９に記載のコンピュータプログラム製品。
【請求項２６】
補間係数セットを決定するための装置であって、
現在のフレームの特性および以前のフレームの特性に基づいて値を決定するための手段と、
前記値が範囲の外側にあるかどうかを決定するための手段と、
前記値が前記範囲の外側にあるという決定および予測モードインジケータに基づいて、補間係数セットを決定するための手段と、
保管された線スペクトル周波数（ＬＳＦ）ベクトルを生成するために前記補間係数セットに基づいてサブフレームのＬＳＦベクトルを補間するための手段と、
前記補間されたＬＳＦベクトルに基づいて音声信号を合成するための手段と
を備える、装置。
【請求項２７】
前記予測モードインジケータが３つ以上の予測モードの１つを示す、請求項２６に記載の装置。
【請求項２８】
前記値が、現在のフレームの合成フィルタインパルス応答エネルギーと以前のフレームの合成フィルタインパルス応答エネルギーに基づく、エネルギー比である、請求項２６に記載の装置。
【請求項２９】
前記補間係数セットが２つ以上の補間係数を含む、請求項２６に記載の装置。
【請求項３０】
前記補間されたＬＳＦベクトルを係数に変換するための手段をさらに備える、請求項２６に記載の装置。
【請求項３１】
前記値が前記範囲の外側にないという決定に応答して、デフォルトの補間係数セットを利用するための手段をさらに備える、請求項２６に記載の装置。
【請求項３２】
前記予測モードインジケータが現在のフレームの予測モードを示す、請求項２６に記載の装置。
【手続補正２】
【補正対象書類名】明細書
【補正対象項目名】０２５４
【補正方法】変更
【補正の内容】
【０２５４】
[00195]特許請求の範囲は、上で示された厳密な構成およびコンポーネントに限定されないことを理解されたい。特許請求の範囲から逸脱することなく、本明細書で説明されたシステム、方法、および装置の構成、動作および詳細において、様々な修正、変更および変形が行われ得る。
以下に本願発明の当初の特許請求の範囲に記載された発明を付記する。
［Ｃ１］
電子デバイスによって補間係数セットを決定するための方法であって、
現在のフレームの特性および以前のフレームの特性に基づいて値を決定することと、
前記値が範囲の外側にあるかどうかを決定することと、
前記値が前記範囲の外側にある場合、前記値および予測モードインジケータに基づいて、補間係数セットを決定することと、
音声信号を合成することとを備える、方法。
［Ｃ２］
前記補間係数セットを決定することが、前記値が前記範囲の外側にある度合いに基づく、Ｃ１に記載の方法。
［Ｃ３］
前記値が前記範囲の外側にある前記度合いが、前記範囲の外側の１つまたは複数の閾値に基づいて決定される、Ｃ２に記載の方法。
［Ｃ４］
前記予測モードインジケータが２つの予測モードの１つを示す、Ｃ１に記載の方法。
［Ｃ５］
前記予測モードインジケータが３つ以上の予測モードの１つを示す、Ｃ１に記載の方法。
［Ｃ６］
前記値が、現在のフレームの合成フィルタインパルス応答エネルギーと以前のフレームの合成フィルタインパルス応答エネルギーに基づく、エネルギー比である、Ｃ１に記載の方法。
［Ｃ７］
前記値が前記範囲の外側にあるかどうかを決定することが、前記エネルギー比が閾値より小さいかどうかを決定することを備える、Ｃ６に記載の方法。
［Ｃ８］
前記値が、現在のフレームの第１の反射係数と以前のフレームの第１の反射係数とを含む、Ｃ１に記載の方法。
［Ｃ９］
前記値が前記範囲の外側にあるかどうかを決定することが、前記以前のフレームの第１の反射係数が第１の閾値より大きく前記現在のフレームの第１の反射係数が第２の閾値より小さいかどうかを決定することを備える、Ｃ８に記載の方法。
［Ｃ１０］
前記補間係数セットが２つ以上の補間係数を含む、Ｃ１に記載の方法。
［Ｃ１１］
前記補間係数セットに基づいてサブフレームの線スペクトル周波数（ＬＳＦ）ベクトルを補間することをさらに備える、Ｃ１に記載の方法。
［Ｃ１２］
前記補間係数セットに基づいてサブフレームのＬＳＦベクトルを補間することが、現在のフレームの最終ＬＳＦベクトルを第１の補間係数と乗算することと、以前のフレームの最終ＬＳＦベクトルを第２の補間係数と乗算することと、現在のフレームの中間ＬＳＦベクトルを差分係数と乗算することとを備える、Ｃ１１に記載の方法。
［Ｃ１３］
前記値が前記範囲の外側にない場合、デフォルトの補間係数セットを利用することをさらに備える、Ｃ１に記載の方法。
［Ｃ１４］
前記予測モードインジケータが現在のフレームの予測モードを示す、Ｃ１に記載の方法。
［Ｃ１５］
前記予測モードインジケータが以前のフレームの予測モードを示す、Ｃ１に記載の方法。
［Ｃ１６］
補間係数セットを決定するための電子デバイスであって、
現在のフレームの特性および以前のフレームの特性に基づいて値を決定する値決定回路と、
前記値決定回路に結合される補間係数セット決定回路と、ここにおいて、前記補間係数セット決定回路は、前記値が範囲の外側にあるかどうかを決定し、前記値が前記範囲の外側にある場合、前記値および予測モードインジケータに基づいて補間係数セットを決定する、
音声信号を合成する合成フィルタ回路とを備える、電子デバイス。
［Ｃ１７］
前記補間係数セットを決定することが、前記値が前記範囲の外側にある度合いに基づく、Ｃ１６に記載の電子デバイス。
［Ｃ１８］
前記値が前記範囲の外側にある前記度合いが、前記範囲の外側の１つまたは複数の閾値に基づいて決定される、Ｃ１７に記載の電子デバイス。
［Ｃ１９］
前記予測モードインジケータが２つの予測モードの１つを示す、Ｃ１６に記載の電子デバイス。
［Ｃ２０］
前記予測モードインジケータが３つ以上の予測モードの１つを示す、Ｃ１６に記載の電子デバイス。
［Ｃ２１］
前記値が、現在のフレームの合成フィルタインパルス応答エネルギーと以前のフレームの合成フィルタインパルス応答エネルギーに基づく、エネルギー比である、Ｃ１６に記載の電子デバイス。
［Ｃ２２］
前記値が前記範囲の外側にあるかどうかを決定することが、前記エネルギー比が閾値より小さいかどうかを決定することを備える、Ｃ２１に記載の電子デバイス。
［Ｃ２３］
前記値が、現在のフレームの第１の反射係数と以前のフレームの第１の反射係数とを含む、Ｃ１６に記載の電子デバイス。
［Ｃ２４］
前記値が前記範囲の外側にあるかどうかを決定することが、前記以前のフレームの第１の反射係数が第１の閾値より大きく前記現在のフレームの第１の反射係数が第２の閾値より小さいかどうかを決定することを備える、Ｃ２３に記載の電子デバイス。
［Ｃ２５］
前記補間係数セットが２つ以上の補間係数を含む、Ｃ１６に記載の電子デバイス。
［Ｃ２６］
前記補間係数セットに基づいてサブフレームの線スペクトル周波数（ＬＳＦ）ベクトルを補間する前記補間係数セット決定回路に結合される補間回路をさらに備える、Ｃ１６に記載の電子デバイス。
［Ｃ２７］
前記補間係数セットに基づいてサブフレームのＬＳＦベクトルを補間することが、現在のフレームの最終ＬＳＦベクトルを第１の補間係数と乗算することと、以前のフレームの最終ＬＳＦベクトルを第２の補間係数と乗算することと、現在のフレームの中間ＬＳＦベクトルを差分係数と乗算することとを備える、Ｃ２６に記載の電子デバイス。
［Ｃ２８］
前記補間係数セット決定回路が、前記値が前記範囲の外側にない場合、デフォルトの補間係数セットを利用する、Ｃ１６に記載の電子デバイス。
［Ｃ２９］
前記予測モードインジケータが現在のフレームの予測モードを示す、Ｃ１６に記載の電子デバイス。
［Ｃ３０］
前記予測モードインジケータが以前のフレームの予測モードを示す、Ｃ１６に記載の電子デバイス。
［Ｃ３１］
命令を有する非一時的有形コンピュータ可読媒体を備える、補間係数セットを決定するためのコンピュータプログラム製品であって、前記命令が、
電子デバイスに、現在のフレームの特性および以前のフレームの特性に基づいて値を決定させるためのコードと、
前記電子デバイスに、前記値が範囲の外側にあるかどうかを決定させるためのコードと、
前記電子デバイスに、前記値が前記範囲の外側にある場合、前記値および予測モードインジケータに基づいて、補間係数セットを決定させるためのコードと、
前記電子デバイスに、音声信号を合成させるためのコードと
を備える、コンピュータプログラム製品。
［Ｃ３２］
前記補間係数セットを決定することが、前記値が前記範囲の外側にある度合いに基づく、Ｃ３１に記載のコンピュータプログラム製品。
［Ｃ３３］
前記予測モードインジケータが２つの予測モードの１つを示す、Ｃ３１に記載のコンピュータプログラム製品。
［Ｃ３４］
前記予測モードインジケータが３つ以上の予測モードの１つを示す、Ｃ３１に記載のコンピュータプログラム製品。
［Ｃ３５］
前記値が、現在のフレームの合成フィルタインパルス応答エネルギーと以前のフレームの合成フィルタインパルス応答エネルギーに基づく、エネルギー比である、Ｃ３１に記載のコンピュータプログラム製品。
［Ｃ３６］
前記値が、現在のフレームの第１の反射係数と以前のフレームの第１の反射係数とを含む、Ｃ３１に記載のコンピュータプログラム製品。
［Ｃ３７］
前記補間係数セットが２つ以上の補間係数を含む、Ｃ３１に記載のコンピュータプログラム製品。
［Ｃ３８］
前記電子デバイスに、前記補間係数セットに基づいてサブフレームの線スペクトル周波数（ＬＳＦ）ベクトルを補間させるためのコードをさらに備える、Ｃ３１に記載のコンピュータプログラム製品。
［Ｃ３９］
前記電子デバイスに、前記値が前記範囲の外側にない場合、デフォルトの補間係数セットを利用させるためのコードをさらに備える、Ｃ３１に記載のコンピュータプログラム製品。
［Ｃ４０］
前記予測モードインジケータが現在のフレームの予測モードを示す、Ｃ３１に記載のコンピュータプログラム製品。
［Ｃ４１］
補間係数セットを決定するための装置であって、
現在のフレームの特性および以前のフレームの特性に基づいて値を決定するための手段と、
前記値が範囲の外側にあるかどうかを決定するための手段と、
前記値が前記範囲の外側にある場合、前記値および予測モードインジケータに基づいて、補間係数セットを決定するための手段と、
音声信号を合成するための手段とを備える、装置。
［Ｃ４２］
前記補間係数セットを決定することが、前記値が前記範囲の外側にある度合いに基づく、Ｃ４１に記載の装置。
［Ｃ４３］
前記予測モードインジケータが２つの予測モードの１つを示す、Ｃ４１に記載の装置。
［Ｃ４４］
前記予測モードインジケータが３つ以上の予測モードの１つを示す、Ｃ４１に記載の装置。
［Ｃ４５］
前記値が、現在のフレームの合成フィルタインパルス応答エネルギーと以前のフレームの合成フィルタインパルス応答エネルギーに基づく、エネルギー比である、Ｃ４１に記載の装置。
［Ｃ４６］
前記値が、現在のフレームの第１の反射係数と以前のフレームの第１の反射係数とを含む、Ｃ４１に記載の装置。
［Ｃ４７］
前記補間係数セットが２つ以上の補間係数を含む、Ｃ４１に記載の装置。
［Ｃ４８］
前記補間係数セットに基づいてサブフレームの線スペクトル周波数（ＬＳＦ）ベクトルを補間するための手段をさらに備える、Ｃ４１に記載の装置。
［Ｃ４９］
前記値が前記範囲の外側にない場合、デフォルトの補間係数セットを利用するための手段をさらに備える、Ｃ４１に記載の装置。
［Ｃ５０］
前記予測モードインジケータが現在のフレームの予測モードを示す、Ｃ４１に記載の装置。